(57)【特許請求の範囲】
【請求項１】
紙幣挿入口から挿入された紙幣が受付可能な紙幣であるか否かを識別し、受付可能な紙幣であると識別された紙幣を受け入れて収納する紙幣処理装置において、
内箱に着脱可能であって、内箱に装着された場合に受け入れた紙幣を収納する金庫と、
該金庫に回動可能に設けられ、内箱に金庫を装着する場合には倒伏した状態とする把手と、
該把手に設けられ、金庫が内箱に装着された場合に、内箱に形成された溝に係合するロックピンと
を備えたことを特徴とする紙幣処理装置。
【請求項２】
前記内箱は、装着された金庫を押し出す方向に付勢する押出ピンを備えたことを特徴とする請求項１に記載の紙幣処理装置。
【請求項３】
前記内箱に形成された溝は、前方から奥方に向けて漸次高くなるよう傾斜した後に下方に陥る鉤状の溝であることを特徴とする請求項１又は２に記載の紙幣処理装置。
【発明の詳細な説明】
【技術分野】
【０００１】
本発明は、挿入された紙幣の金種を識別し、識別した紙幣を収納する紙幣処理装置に関するものであって、電子マネーチャージ機、自動販売機等の機器に搭載される紙幣処理装置に関するものである。
【背景技術】
【０００２】
ＩＣカード、携帯電話機等の携帯端末に入金額に対応する電子マネーをチャージする電子マネーチャージ機が広く一般に知られるようになっている。電子マネーチャージ機には、紙幣処理装置が搭載され、入金された紙幣を収納するようになっている。そして、電子マネーのチャージに伴い電子マネーチャージ機に入金され、紙幣処理装置に収納された紙幣は、電子マネー運営会社から委託された者により、定期的に回収され、締め情報が電子マネー運営会社に通知されるようになっている（例えば、特許文献１参照）。
【０００３】
【特許文献１】特開２００４−１９９２５３号公報
【発明の開示】
【発明が解決しようとする課題】
【０００４】
しかしながら、上述した電子マネーチャージ機等に搭載された紙幣処理装置は、挿入された紙幣が受付可能な紙幣（金種）であるか否かを識別する紙幣識別部と、受付可能な紙幣であると識別した紙幣を収納する金庫とが一体に構成されているために、紙幣をむき出しの状態で回収するしかなかった。
【０００５】
本発明は、上記実情に鑑みて、紙幣をむき出しにすることなく回収することができる紙幣処理装置を提供することを目的とする。
【課題を解決するための手段】
【０００６】
上記の目的を達成するために、本発明にかかる紙幣処理装置は、紙幣挿入口から挿入された紙幣が受付可能な紙幣であるか否かを識別し、受付可能な紙幣であると識別された紙幣を受け入れて収納する紙幣処理装置において、内箱に着脱可能であって、内箱に装着された場合に受け入れた紙幣を収納する金庫と、該金庫に回動可能に設けられ、内箱に金庫を装着する場合には倒伏した状態とする把手と、該把手に設けられ、金庫が内箱に装着された場合に、内箱に形成された溝に係合するロックピンとを備えたことを特徴とする。
【０００７】
また、本発明にかかる紙幣処理装置は、上記発明において、前記内箱は、装着された金庫を押し出す方向に付勢する押出ピンを備えたことを特徴とする。
【０００８】
また、本発明にかかる紙幣処理装置は、上記発明において、内箱に形成された溝は、前方から奥方に向けて漸次高くなるよう傾斜した後に下方に陥る鉤状の溝であることを特徴とする。
【発明の効果】
【０００９】
本発明にかかる紙幣処理装置は、内箱に着脱可能であって、内箱に装着された場合に受け入れた紙幣を収納する金庫を備えたので、金庫ごと回収すれば紙幣がむき出しにすることなく、紙幣を回収することができる。また、金庫に回動可能に設けられ、内箱に金庫を装着する場合には倒伏した状態とする把手と、把手に設けられ、金庫が内箱に装着された場合に内箱に形成された溝に係合するロックピンとを備えたので、金庫を確実に装着できる。
【発明を実施するための最良の形態】
【００１０】
以下に添付図面を参照して、本発明にかかる紙幣処理装置の好適な実施の形態を詳細に説明する。なお、この実施の形態によりこの発明が限定されるものではない。
【００１１】
本実施の形態では、ＩＣカード、携帯電話機等の携帯端末に入金額に対応する電子マネーをチャージする電子マネーチャージ機に搭載された紙幣処理装置を例に説明する。
【００１２】
図１は、本発明の実施の形態である紙幣処理装置を搭載した電子マネーチャージ機を示す正面図であり、図２は、図１に示した電子マネーチャージ機の内部構成を示す正面図である。
【００１３】
電子マネーチャージ機は、前面が開口した箱状の筐体１と、前面開口を開閉可能に閉塞する前面扉２とを備えている。
【００１４】
図１に示すように、前面扉２には、ＩＣカードアクセス部２１が設けられるとともに、液晶パネル２２のほか、入金ボタン２３、取消ボタン２４、レシートボタン２５が配設されており、内部に配設された紙幣処理装置３の紙幣挿入口部３１が露出するようになっている。
【００１５】
ＩＣカードアクセス部２１は、奥方に窪んだ凹部であり、電子マネーのチャージ媒体となるＩＣカードのほか、電子マネーのチャージ媒体となる携帯電話機等の携帯端末が載置可能となっている。ＩＣカードアクセス部２１の裏面には、リーダライタ２９（図１４参照）が配設してあり、ＩＣカードアクセス部２１に載置されたＩＣカードあるいは携帯電話機等の携帯端末から残額（チャージ金額）を取得したり、ＩＣカードアクセス部に載置されたＩＣカードあるいは携帯電話機等の携帯端末に電子マネーをチャージしたりすることができるようになっている。また、ＩＣカードアクセス部２１には、レシート口２１ａが開口しており、後述するレシートプリンタ２７から発行されたレシートがＩＣカードアクセス部２１に放出されるようになっている。
【００１６】
液晶パネル２２は、操作情報を表示するものであり、操作手順のほか、残額、入金額、チャージ後の残額が表示されるようになっている。入金ボタン２３は、電子マネーのチャージを確定するための入力手段であって、入金ボタン２３が押下されると、電子マネーのチャージが確定し、以降、電子マネーチャージ機は、チャージの取り消しができなくなるようになっている。取消ボタン２４は、チャージを取り消すための入力手段であって、取消ボタン２４が押下されると、電子マネーチャージ機は、電子マネーのチャージを取り消し、挿入された紙幣を返却するようになっている。レシートボタン２５は、レシートの発行処理を指示するための入力手段であって、電子マネーチャージ機は、入金ボタン２３が押下された後、所定時間内にレシートボタン２５が押下されると、入金額、チャージ残額を印刷したレシートを発行するようになっている。
【００１７】
図２に示すように、筐体の内部には、電源２６、レシートプリンタ２７、紙幣処理装置３のほか、制御部２８が配設されている。電源は２６、交流電流を直流電流に変換し、各機器に供給するものである。レシートプリンタ２７は、電子マネーのチャージに伴うレシートを発行するほか、履歴情報を印刷することができるようになっている。
【００１８】
図３及び図４は、本発明の実施の形態である紙幣処理装置を収容した外箱を示す斜視図であって、図３は、収容扉を開放した状態を示したものであり、図４は、金庫を取り出した状態を示したものである。また、図５〜図７は、図３及び図４に示した本発明の実施の形態である紙幣処理装置を示す図であって、図５は左側面図、図６は左側断面図、図７は右側面図である。
【００１９】
本発明の実施の形態である紙幣処理装置３は、挿入された紙幣が受付可能な紙幣（金種）であるか否かを識別し、受付可能な紙幣であると識別した紙幣を収納するものであって、千円札、二千円札、五千円札、一万円札の四種類の紙幣について受付可能な紙幣であるか否かを識別することができるようになっている。紙幣処理装置３は、外箱４に収容した状態で電子マネーチャージ機の筐体１の内部に配設されている。外箱４は、断面が凸の字となる箱状を呈しており、前面が開口している。
【００２０】
図３及び図４に示すように、前面開口の下方域は、前面開口の左側縁に開閉可能に支承された収容扉４１によって閉塞されるようになっている。この収容扉４１には、錠４２が取り付けられており、収容扉４１を閉塞した状態で施錠できるようになっている。また、外箱４の左上角隅部には、収容扉開閉検出センサ４３が設けてあり、収容扉４１を開放した場合には、収容扉開閉検出センサ４３から開放信号が出力され、収容扉４１が閉塞された場合には、収容扉開閉検出センサ４３から閉塞信号が出力されるようになっている。
【００２１】
紙幣処理装置３は、外箱４から引き出し可能であって、収容扉４１を開放することにより、引き出すことができるようになっている。
【００２２】
紙幣処理装置３は、前面及び上面が開口した内箱３０に組み込まれており、内箱３０の上方域には、前方から奥方に向けて、紙幣挿入口部３１、紙幣識別部３２が順番に配設してあり、内箱３０の下方域には、金庫５が着脱可能な状態で装着してある。
【００２３】
紙幣挿入口部３１は、長手方向を挿入方向とした紙幣が挿入される部分であり、水平方向に延在され、前方から奥方に向けて漸次狭くなる態様で形成された紙幣挿入口３１ａを有している。この紙幣挿入口部３１は、前面扉２を閉塞した場合に前面扉２の前面から露出するようになっている。
【００２４】
図６に示すように、紙幣識別部３２は、紙幣挿入口部３１に連設されており、紙幣挿入口３１ａから挿入された紙幣を奥方に搬送しながら紙幣が受付可能な紙幣であるか否かを識別するようになっている。紙幣識別部３２は、奥側を軸にして手前側を開閉可能であって、紙幣識別部３２を開放すれば紙幣識別部３２に詰まった紙幣を取り除くことができるようになっている。また、紙幣識別部３２は、紙幣が斜めに挿入された場合、紙幣（金種）が識別できなかった場合には、当該紙幣を反対方向（奥方から前方）に搬送することにより、紙幣挿入口３１ａから返却し、紙幣が受付可能な紙幣であると識別できた場合には、当該紙幣を紙幣識別部３２から金庫５に搬送するようになっている。
【００２５】
図８は、図４に示した金庫を装着方向から見た斜視図である。図９及び図１０は、図４に示した金庫を装着方向反対側から見た斜視図であって、把手を起立させた状態を示すものであり、図１０は、さらに金庫扉を開放した状態を示したものである。
【００２６】
図８〜図１０に示すように、金庫５は、箱状を呈しており、装着した場合に紙幣挿入方向奥方となる背面と背面に連なる上面の奥方が開口している（図１０参照）。背面開口５１の下縁には、金庫扉５２が支承してあり、背面開口５１を開閉可能に閉塞している。この金庫扉５２には、錠５３が取り付けてあり、金庫扉５２を閉塞した状態で施錠できるようになっている。そして、金庫扉５２の上縁に連なる金庫上面の奥方開口を紙幣受入部として、紙幣識別部３２から金庫５に搬送された紙幣が内部に搬入されるようになっている。
【００２７】
図８〜図１０に示すように、金庫５は、両側面に跨って回動可能に取り付けられ、奥行方向略中央で起立する一方、倒伏させた場合に前面に位置する把手５４を備えている。金庫５は、把手５４に設けた突起５４ａと係合することにより、把手５４が起立した状態を維持する凹部を有しており、金庫５を持ち運ぶ場合に把手５４を起立させた状態とすることができるようになっている。
【００２８】
図８〜図１０に示すように、金庫５の両側面には、段部５ａが形成してある。この段部５ａは、内箱３０の内側面に回転自在に支承されたガイドローラ３０１（図１５参照）と摺接するようになっており、金庫５をスムースに着脱できるようになっている。
【００２９】
図８〜図１０に示すように、把手５４の両側面には、ロックピン５４１が固定してある。ロックピン５４１は、金庫５を内箱３０に装着した場合に、前方から奥方に向けて漸次高くなるよう傾斜した後に下方に陥る鉤状の溝３０ａに係合するように取り付けてあり、ロックピン５４１を溝に係合させると、金庫５が内箱３０に位置決めされた状態で装着されるようになっている（図５参照）。
【００３０】
また、図６に示すように、内箱３０の奥方には、金庫５を前方に向けて押し出す押出ピン３３が配設してある。押出ピン３３は、バネ（図示せず）によって、金庫５を前方に向けて押し出す方向に付勢されており、金庫５が内箱３０にガタなく装着されるようになっている。そして、把手５４を持ち上げ、溝３０ａからロックピン５４１を離脱させると、金庫５は前方に向けて押し出されることになる。
【００３１】
また、図７に示すように、内箱３０の左内側には、満杯・金庫着脱検知センサ３４が取り付けてある。満杯・金庫着脱検知センサ３４は、金庫５に取り付けられ、金庫５に収納された紙幣が満杯に近づいた場合に紙幣Ｂの収納に伴い上下動するレバー５５を検知することにより、内箱３０に金庫５が装着されているか否かを検知するとともに、内箱３０に金庫５が装着されている場合に金庫５に収納された紙幣が満杯であるか否かを検知するようになっている。
【００３２】
図１１及び図１２は、図４及び図８〜図１０に示した金庫の左側断面図であって、図１１は、紙幣の収納待機状態を示したものであり、図１２は、紙幣の収納動作を示したものである。また、図１３は、図３及び図４に示した紙幣処理装置の内部構造を説明するための斜視図である。
【００３３】
図１１及び図１２に示すように、金庫５の内部には、一対の紙幣ガイド５６、紙幣積載板５７、紙幣収納機構６が配設してある。
【００３４】
一対の紙幣ガイド５６は、紙幣識別部３２から金庫５に搬入された紙幣の両側の縁を支持することにより、金庫内において紙幣Ｂを案内し、返却可能な状態で一時的に保留するものであり、天井面との間に紙幣が一枚通るだけの隙間を開ける態様で内方に突出するように、両側の内側面にそれぞれ設けられている。各紙幣ガイド５６は、細長い板状の突出片であり、紙幣Ｂの縁を支持するに足りる幅（たとえば、５ミリ〜１０ミリ程度）を有している。そして、紙幣識別部３２から金庫５に搬入された紙幣Ｂは、紙幣ガイド５６の上面に支持され、奥方から前方に案内されるようになっている。なお、金庫上面の奥方開口（紙幣受入部）において、紙幣ガイド５６に紙幣搬送ローラ３５（紙幣識別部の搬送終端）が対向するようになっており、紙幣搬送ローラ３５を通過した紙幣Ｂは、返却不能となる。
【００３５】
図１１及び図１２に示すように、紙幣積載板５７は、紙幣ガイド５６の下面との間に紙幣Ｂを収納するためのもので、紙幣とほぼ同一の幅を有する板状体で構成されている。紙幣積載板５７は、円錐台状をした押上バネ（圧縮コイルバネ）５８によって、紙幣ガイド５６の下面に向かって付勢されており、紙幣ガイド５６の下面に密着した状態で紙幣Ｂが収納されるようになっている。なお、収納された紙幣Ｂは、一時的に保留された紙幣Ｂと区別される。
【００３６】
紙幣収納機構６は、紙幣ガイド５６の上に案内された紙幣Ｂを紙幣ガイド５６の下、すなわち、紙幣ガイド５６と紙幣積載板５７との間に収納するためのもので、紙幣収納板６１、紙幣収納板昇降リンク６２，６３、紙幣収納板駆動用突起６４を有している。
【００３７】
紙幣収納板６１は、紙幣ガイド５６の上に案内された紙幣Ｂを紙幣ガイド５６の下に押し入れるためのもので、紙幣ガイド５６と紙幣ガイド５６との間を通過できるように、紙幣Ｂよりも幅狭な板状体で構成してある。
【００３８】
紙幣収納板昇降リンク６２，６３は、紙幣収納板６１が同一姿勢を保ったまま昇降するようにしたもので、金庫５の天井と紙幣収納板６１との間に配設してある。紙幣収納板昇降リンク６２，６３は、電車の屋根に取り付けられるパンタグラフのように、アーム６２とアーム６３とが交差したものであり、紙幣収納板６１の両側に取り付けてある。紙幣収納板昇降リンク６２，６３は、紙幣収納板６１が上昇する方向に付勢してあり、紙幣収納板６１が天井に待避することにより、紙幣Ｂの搬入時に紙幣Ｂが紙幣収納板６１に干渉しないようになっている。
【００３９】
紙幣収納板駆動用突起６４は、紙幣収納板６１を紙幣ガイド５６の上方から下方に下降させるためのもので、一のアーム６２の中央部分に取り付けてある。紙幣収納板駆動用突起６４は、図１１に示すように、紙幣が搬入されるまでの待機状態において、金庫５の上面から突出しており、図１２に示すように、没入させると、紙幣収納板昇降リンク６２，６３を介して紙幣収納板６１が下降するようになっている。
【００４０】
紙幣収納板駆動用突起６４は、図１３に示す紙幣収納板駆動カム７によって押圧されるようになっている。紙幣収納板駆動カム７は、円筒カムであって、その端面が紙幣収納板駆動用突起６４を押圧することにより、紙幣収納板６１を下降させるようになっている。
【００４１】
図１４は、電子マネーチャージ機の構成を示すブロック図である。図１４に示すように、制御部２８は、電子マネーチャージ機の制御を司るものであり、上述した液晶パネル２２、入金ボタン２３、取消ボタン２４、レシートボタン２５、リーダライタ２９、レシートプリンタ２７、収容扉開閉検出センサ４３、紙幣処理装置３が接続されるとともに、通信回線（たとえば、ＬＡＮ）８に接続されている。
【００４２】
上述した電子マネーチャージ機において、電子マネーのチャージ残額を確認する場合には、液晶パネル２２の表示にしたがって、ＩＣカードアクセス部２１に電子マネーのチャージ媒体となるＩＣカードを載置すればよい。ＩＣカードアクセス部２１にＩＣカードを載置すると、リーダライタ２９がＩＣカードから残額（チャージ金額）を読み取り、読み取った残額が液晶パネル２２に表示される。
【００４３】
上述した電子マネーチャージ機において、電子マネーをチャージする場合には、液晶パネル２２の表示にしたがって、ＩＣカードアクセス部２１にＩＣカードを載置するとともに、紙幣挿入口３１ａから紙幣を挿入すればよい。紙幣挿入口３１ａから紙幣を挿入すると、紙幣識別部３２が紙幣を奥方に送りながら紙幣を識別する。なお、紙幣が斜めに挿入された場合や、紙幣が受付可能な紙幣であると識別できなかった場合には、紙幣を反対方向（奥方から前方）に搬送することにより、紙幣挿入口３１ａから紙幣が返却される。
【００４４】
紙幣が受付可能な紙幣であると識別できた場合には、当該紙幣を紙幣識別部３２から金庫５に搬送するとともに、識別した紙幣の金種を入金額として液晶パネル２２に表示する。このとき、紙幣は、紙幣ガイド５６上で返却可能な状態で保留されている。
【００４５】
ここで、取消ボタン２４を押下すると、紙幣識別部３２が紙幣を反対方向（奥方から前方）に搬送することにより、紙幣挿入口３１ａから紙幣が返却されることになる。
【００４６】
一方、液晶パネル２２の表示にしたがって、入金ボタン２３を押下すると、リーダライタ２９がＩＣカードに入金額に相当する電子マネーをチャージするとともに、紙幣搬送ローラ３５を通過するまで紙幣を搬送する。紙幣搬送ローラ３５を通過した紙幣は、返却不能となる。
【００４７】
その後、紙幣処理装置３は、紙幣収納板駆動カム７を回転させることにより、紙幣収納板駆動用突起６４、紙幣収納板昇降リンク６２，６３を介して、紙幣収納板６１を下降させ、紙幣積載板５７と紙幣ガイド５６との間に紙幣を収納する。
【００４８】
また、入金ボタン２３の押下後、所定時間内にレシートボタン２５を押下すると、レシートプリンタ２７が入金額、チャージ残額を印刷したレシートを発行し、ＩＣカードアクセス部２１に放出する。
【００４９】
上述した電子マネーチャージ機において、紙幣処理装置３の紙幣識別部３２に紙幣が詰まった場合には、前面扉２、収容扉４１の順に開放することになる。ここで、収容扉４１に取り付けられている錠は、許可された者が有する鍵によって解錠され、収容扉４１が開放されると、収容扉開閉検出センサ４３から制御部２８に開放信号が出力され、制御部２８は収容扉４１の開放を記憶する。そして、外箱４から紙幣処理装置３を引き出した後、紙幣識別部３２を開放すれば、詰まった紙幣を取り除くことができる。
【００５０】
そして、詰まった紙幣を取り除いた後は、紙幣識別部３２を閉塞するとともに、紙幣処理装置３を外箱４に収容し、収容扉４１を閉塞することになる。収容扉４１が閉塞されると、収容扉開閉検出センサ４３から制御部に閉塞信号が出力され、制御部２８は収容扉４１の閉塞を記憶する。そして、前面扉２を閉塞すれば、電子マネーチャージ機はチャージ可能となる。
【００５１】
上述した電子マネーチャージ機において、紙幣処理装置３から紙幣を回収する場合には、前面扉２、収容扉４１の順に開放することになる。そして、収容扉４１が開放されると、収容扉開閉検出センサ４３から制御部２８に開放信号が出力され、制御部２８は収容扉４１の開放を記憶する。その後、把手５４が持ち上げられると、図１５−２に示すように、金庫５は紙幣処理装置３（内箱３０）から押し出される。このとき、満杯・金庫着脱検知センサ３４は、金庫５が取り出されたことを検出し、その旨が制御部２８に出力され、制御部２８は紙幣の回収を記憶するとともに、通信回線８を介して電子マネーチャージ機の管理者に紙幣が回収された旨を通知することになる。
【００５２】
その後、図１５−１に示すように、紙幣処理装置３（内箱３０）に新たな金庫５が装着されると、満杯・金庫着脱検知センサ３４は、金庫５が装着されたことを検出し、その旨が制御部２８に出力され、制御部２８は金庫５の装着を記憶する。その後、収容扉４１が閉塞されると、収容扉開閉検出センサ４３から制御部に閉塞信号が出力され、制御部２８は収容扉４１の閉塞を記憶する。そして、前面扉２を閉塞すれば、電子マネーチャージ機はチャージ可能となる。
【００５３】
上述した本実施の形態にかかる紙幣処理装置３は、内箱３０に着脱可能であって、内箱３０に装着された場合に受け入れた紙幣を収納する金庫５を備えたので、紙幣Ｂをむき出しにすることなく、回収することができる。
【００５４】
また、金庫５に回動可能に設けられ、内箱３０に金庫５を装着する場合には倒伏した状態とする把手５４と、把手５４に設けられ、金庫５が内箱３０に装着された場合に内箱３０に形成された溝３０ａに係合するロックピン５４１を備えたので、金庫５を確実に装着できる。
【００５５】
また、内箱３０は、装着された金庫５を押し出す方向に付勢する押出ピン３３を備えたので、内箱３０に形成された溝３０ａからロックピン５４１を離脱させれば、金庫５を簡単に取り出すことができる。
【００５６】
内箱３０に形成された溝３０ａは、前方から奥方に向けて漸次高くなるよう傾斜した後に下方に陥る鉤状の溝であるから、把手５４を持ち上げれば、内箱３０に形成された溝３０ａからロックピン５４１を離脱させることができる。
【図面の簡単な説明】
【００５７】
【図１】本発明の実施の形態である紙幣処理装置を搭載した電子マネーチャージ機を示す正面図である。
【図２】図１に示した電子マネーチャージ機の内部構成を示す正面図である。
【図３】本発明の実施の形態である紙幣処理装置を収容した外箱を示す斜視図であって、収容扉を開放した状態を示したものである。
【図４】本発明の実施の形態である紙幣処理装置を収容した外箱を示す斜視図であって、金庫を取り出した状態を示したものである。
【図５】図３及び図４に示した紙幣処理装置の左側面図である。
【図６】図３及び図４に示した紙幣処理装置の左側断面図である。
【図７】図３及び図４に示した紙幣処理装置の右側面図である。
【図８】図４に示した金庫を装着方向から見た斜視図である。
【図９】図４に示した金庫を装着方向反対側から見た斜視図であって、把手を起立させた状態を示したものである。
【図１０】図４に示した金庫を装着方向反対側から見た斜視図であって、さらに、金庫扉を開放した状態を示したものである。
【図１１】図４及び図８〜図１０に示した金庫の左側断面図であって、紙幣の収納待機状態を示したものである。
【図１２】図４及び図８〜図１０に示した金庫の左側断面図であって、紙幣の収納動作を示したものである。
【図１３】図３及び図４に示した紙幣処理装置の内部構造を説明するための斜視図である。
【図１４】電子マネーチャージ機の構成を示すブロック図である。
【図１５−１】金庫を装着した紙幣処理装置を示す模式図である。
【図１５−２】金庫が押し出された紙幣処理装置を示す模式図である。
【符号の説明】
【００５８】
１    筐体
２    前面扉
２１    ＩＣカードアクセス部
２１ａ    レシート口
２２    液晶パネル
２３    入金ボタン
２４    取消ボタン
２５    レシートボタン
２６    電源
２７    レシートプリンタ
２８    制御部
２９    リーダライタ
３    紙幣処理装置
３０    内箱
３０ａ    溝
３０１    ガイドローラ
３１    紙幣挿入口部
３１ａ    紙幣挿入口
３２    紙幣識別部
３３    押出ピン
３４    満杯・金庫着脱検知センサ
３５    紙幣搬送ローラ
４    外箱
４１    収容扉
４２    錠
４３    収容扉開閉検出センサ
５    金庫
５ａ    段部
５１    背面開口
５２    金庫扉
５３    錠
５４    把手
５４ａ    突起
５４１    ロックピン
５５    レバー
５６    紙幣ガイド
５７    紙幣積載板
６    紙幣収納機構
６１    紙幣収納板
６２，６３    紙幣収納板昇降リンク
６４    紙幣収納板駆動用突起
７    紙幣収納板駆動カム
８    通信回線
Ｂ    紙幣
【図１】
0004962357.tif 000002
【図２】
0004962357.tif 000003
【図３】
0004962357.tif 000004
【図４】
0004962357.tif 000005
【図５】
0004962357.tif 000006
【図６】
0004962357.tif 000007
【図７】
0004962357.tif 000008
【図８】
0004962357.tif 000009
【図９】
0004962357.tif 000010
【図１０】
0004962357.tif 000011
【図１１】
0004962357.tif 000012
【図１２】
0004962357.tif 000013
【図１３】
0004962357.tif 000014
【図１４】
0004962357.tif 000015
【図１５−１】
0004962357.tif 000016
【図１５−２】
0004962357.tif 000017